(57)【要約】【課題】  指輪自体の地金の太さや材質的な硬さ等に関係なく、適切な拡径が行われるようにし、特定の指に限らずに、他の指にも嵌め変え使用が簡単にできる使い勝手の良い拡径自在な指輪を提供する。【解決手段】  切離し部２を有する指輪において、指輪１の一部に蛇腹式に屈曲させた弾性変形部４を設けた。弾性変形部４は、指輪１の切離し部２から遠ざけ、対称的に２個所に分けて形成することができる。【選択図】        図１ 
2005021555.tif 000002
【特許請求の範囲】
【請求項１】
切離し部を有する指輪において、指輪の一部に蛇腹式に屈曲させた弾性変形部を設けたことを特徴とする拡径自在な指輪。
【請求項２】
弾性変形部が、指輪地金の一部に形成した角柱部に対して、対向する二面側から交互に切込み溝を削成して形成したことを特徴とする請求項１記載の拡径自在な指輪。
【請求項３】
弾性変形部を、指輪の切離し部から遠ざけ、対称的に２個所に分けて形成したことを特徴とする請求項１又は２記載の拡径自在な指輪
【発明の詳細な説明】
【技術分野】
【０００１】
本発明は、指輪の環径を弾力的に拡げることが出来る拡径自在な指輪に関するものである。
【背景技術】
【０００２】
従来より、装身具とされる指輪については、普通、薬指に嵌めて使用されることが多かったために、指輪の環径は薬指を基準にして段階的に号数で決められている。しかし、最近では、特に若者の間では、個性的なファッション性を強調するための装身具として、特定の指に限らず、指輪の数にもこだわらずに、薬指以外の指にも指輪を嵌めることが流行っている。
【０００３】
このように、特定の指に限らずに指に嵌める指輪が多くなってくると、人の指は、人それぞれに太さや形がまちまちであるために、各指に合わせて従来の指輪のような環径サイズが固定された指輪を揃えるとなると、環径の異なる指輪が何個も必要になってくる。
【０００４】
また、同じ人の指も、朝と夕方では指のサイズは多少の変化を生じるので、どの指でも同じとは言えないが、朝は指に嵌めてちょうど良かった環径の指輪も、夕方になると外ずのが難しくなることもあるので、幾つもの指に数多くの指輪を嵌めて出かけるような時は、後で指輪を外すのに苦労することもある。
【０００５】
そこで、環径の変更ができる指輪も市販されている。例えば、裁縫用の指輪のように、指輪に切離し部が設けてあって、この切離し部の隙間を拡げて環径を変更できるものがある。（特許文献１参照）。
【０００６】
また、指輪自体の環径は固定的にできていて、指輪の内周面に設けた溝内に凹状片を支持し、この凹状片の一端から凸状片を折り返してなるサイズ調整片を指輪内に備え、常態では、凸状片が指輪内に円弧状に突出していて、指輪を嵌める時に、この指輪内に突出する凸状片を弾性に抗して指輪内に押し込んだ状態にすることで、多少の指のサイズの大小や変化に係わらずに指にフィットさせるようにした構成のものもある。（特許文献２参照）。
【特許文献１】特開平８−１８２５１９号公報。
【特許文献２】登録実用新案第３０２８１１４号公報。
【発明の開示】
【発明が解決しようとする課題】
【０００７】
前記の引用文献１に開示されたような、切離し部を有する構成の指輪の場合は、環径を変更する時は、切離し部の隙間が拡がって指輪は全体的に弾力的な変形を伴うので、指輪が単一の硬質の金属環体であったり、指輪本体の地金が太かったりすると、僅かな環径の変更にも、切離し部の隙間を拡げる強い力を必要とし、環径の変更がし難くなり、指からの指輪の嵌め外しが円滑にできないことがある。
【０００８】
特に、最近の若者達の間で流行っているように、指輪が嵌められる指が特定されず、多くの指に嵌め変えする指輪のように、装飾性が重視され、且つ、見栄えを良くしてフアッション性を強調するような指輪は、指輪の地金を太くして大きく見せるようにして目立たせる傾向にあるので、この種の指輪では、切離し部が設けられていてもその利用度は甚だ低いものである。
【０００９】
また、指輪に設けた切離し部の隙間を拡げて環径が変えられる指輪が、金や銀のような貴金属でできている場合は、切離し部の隙間を拡げて指輪の全体的な弾力的変形の繰り返しで、指輪の塑性変形が何度も繰り返されると、金属疲労による劣化が進行して指輪を傷めたり、指輪の形崩れを生じるようなことも起きる。
【００１０】
また、前記の引用文献２に開示された指輪のように、指輪内にサイズ調整片を備える場合は、指に嵌めた状態で指輪内に突出する凸状片が指に押されて指輪内に引っ込むが、これは指輪を嵌めた後も弾力的に突出傾向を示して指面を局部的に押圧するので、長時間の使用では凸状片による指の押圧部に痛みを伴うようなことが起きる。また、指輪自体の環径としては、使用者の特定の指に対してぴったり合っている場合には、サイズ調整片が装着してあると、かえって邪魔になるようなこともある。
【００１１】
そこで、本発明は、指輪自体の地金の太さや材質的な硬さ等に関係なく、適切な拡径が行われるようにし、特定の指に限らずに、他の指にも嵌め変え使用が簡単にできて使い勝手が良く、しかも、長期間に亘って性状的にも安定した拡径自在な指輪を提供することを目的としたものである。
【課題を解決するための手段】
【００１２】
上記の目的を達成するための本発明は、切離し部を有する指輪において、指輪の一部に蛇腹式に屈曲させた弾性変形部を設けたことを特徴とする。
【００１３】
このように構成した本発明に係る指輪によれば、指輪に指を嵌める時に、指輪の内周面に外向きに押圧力が掛かると、弾性変形部がこの押圧力に応じて弾力的に変形し、切離し部の隙間を拡げて環径を変えるので、指輪内への指の出し入れをし易くし、指輪の内周面に押圧力が掛からない状態では、弾性変形部は弾力的に復帰して指輪は元の環径に戻って安定する。また、指輪の装着時間が長時間に及んで指のサイズに変化を生じるようなことがあっても、これに合わせて自然に拡径が起きるので、指輪装着部に圧迫感を生じることがなく、この面からも取り扱い易くなる。
【００１４】
前記構成において、弾性変形部が、指輪地金の一部に形成した角柱部に対して、対向する二面側から交互に切込み溝を削成して形成し、また、弾性変形部を、指輪の切離し部から遠ざけ、対称的に２個所に分けて形成した構成にすると、環径を拡径する時に、弾性変形部は、板体の屈曲形態を採って板体の厚さ方向、つまり、指輪の表裏面側に向けの屈曲をし易くし、しかも、弾性変形部に生じる僅かな変形が、切離し部では拡大されて拡径開度を大きくするので、実用的な環径の変更範囲であれば、拡径の大小を問わず、弾性変形部に無理な圧力負担を掛けずに円滑な拡径が行われる。従って、長期間の使用で金属疲労による劣化が進行して指輪自体を傷めたり、指輪の形崩れを生じるようなこともない。また、切離し部から遠ざけて２個所に分けて形成した弾性変形部は、例えば、指輪の一部に設けられ、宝石等を取付けた取付け台に接してその両側に設けると、取付け台と一体で見栄えを良くし、指輪としての形態的なバランスも採れて装飾性を向上する。
【発明の効果】
【００１５】
本発明は、以上説明したような形態で実施され、本発明によれば、指輪の環径の変更が無理なく行われ、使用者の特定の指に限らず、他の指にも嵌め変えができ、しかも、指輪を嵌める時も嵌めた後も、指サイズに多少の差があっても無理なくフィットさせることができるので、使い勝手が良く、個性的なファッションを強調する装身具としての指輪の利用度を格段に向上することができる。また、指輪の地金の太さや材質的な硬さ等に関係なく、長期間の使用でも性状的にも安定して高品質の指輪が提供できる。
【発明を実施するための最良の形態】
【００１６】
以下、本発明の指輪の実施の形態を図面に基づいて詳細に説明する。
【００１７】
図１は本発明に係る指輪の実施の形態を示す斜視図である。
【００１８】
図において、指輪１は、切離し部２を有する。指輪１の素材（指輪地金）には一般的には金等の貴金属が使用されるが、金メッキを施した他の金属や、２種の金属を一体的に張合わせ結合したようなものでも良い。
【００１９】
指輪１の一部、すなわち、切離し部２の丁度、反対側に取付け台３を設け、この取付け台３の外周面に、宝石や輝石等の石Ａを取付けている。
【００２０】
また、切離し部２から遠ざけ、取付け台３の両側に、取付け台３に接して蛇腹式に屈曲させた弾性変形部４を設けている。この弾性変形部４は、予め、指輪地金の一部に取付け台３と一体に角柱部を形成し、この角柱部に対して表裏二面側から交互に切込み溝４ａを削成して所定の仕上げ加工を施したもので、実施の形態では、弾性変形部４を仕上げる上で、弾性変形部４は取付け台３と同一幅で取付け台３に連続させ、弾性変形部４の屈曲部外面４ｂには丸みを付けて溝面に連続させ、また、弾性変形部５から切離し部２に至る指輪部分５については、その中間部の肉厚を分厚くして外向きに膨出部５ａを形成する等して指輪１全体の外観形態を独創的で、斬新な装飾性を発揮するようにしている。
【００２１】
上記構成において、本発明に係る指輪１は、常態において、弾性変形部４には加工歪み等の残留がなく、形態的にも性状的にも安定している。従って、指輪１の使用に際し、指輪１を指に嵌める時は、指輪１の内周面に外向きに押圧力が掛かると、指輪自体の地金の太さや材質的な硬さ等に関係なく、この押圧力に応じて弾性変形部４が弾力的に変形して切離し部２を拡げて指輪１への指の出し入れをし易くする。また、実施の形態のように、弾性変形部４を、切離し部２から遠ざけて２個所に分けて形成した場合は、弾性変形部４に生じる僅かな変形が、切離し部２では拡大されて拡径開度を大きくするので、実用的な環径の変更範囲であれば、弾性変形部に無理な圧力負担を掛けずに円滑な拡径が行われる。こうして、指輪１を指に嵌める時も嵌めた後も、指サイズに多少の差があっても無理なくフィットさせることができる。
【００２２】
なお、前記する本発明に係る指輪に設けられる弾性変形部は、必ずしも、指輪だけに限って適用されるものではなく、ペンダントトップ等に使用される装飾用リング等にも、指輪同様に適用可能なことは言うまでもない。装飾リングに適用した場合は、例えば、複数のリングを組み合わせたりするのに便利であり、組合わさった各リングの形態的にユニークな弾性変形部が、様々な方向から見られて面白みがあり、斬新な装飾性を発揮する。
【図面の簡単な説明】
【００２３】
【図１】図１は本発明に係る指輪の実施の形態を示す斜視図である。
【符号の説明】
【００２４】
１  指輪
２  切離し部
３  取付け台
４  弾性変形部
４ａ  切込み溝
４ｂ  屈曲部外面
５  指輪部分
５ａ  膨出部
Ａ  石
【図１】
2005021555.tif 000003